(57)【要約】【課題】本発明は、お年寄りや歩行障害者が安心して歩行出来る安定性の高い、小型で軽量で、小回りがきく歩行補助具を提供することにある。【解決手段】本発明は、上弦部ａ１、縦部ａ２、下弦部ａ３からなる略コ形状に曲折した支持ユニットＡと、支持ユニットＡの上弦部ａ１と下弦部ａ３を縦部ａ２に対して、反対方向に構成した上弦部ｂ１、縦部ｂ２、下弦部ｂ３からなる略コ形状の支持ユニットＢからなり、支持ユニットＡの上弦部ａ１と支持ユニットＢの上弦部ｂ１を一直線上に連結して、縦部ａ２と縦部ｂ２が鋭角をなすように固定し、一体化して形成し、歩行者は、前記連結した上弦部ａ１と上弦部ｂ１からなる把持部Ｃを握持し、下弦部ａ３と下弦部ｂ３を接地させて使用するものである。【選択図】  図１
2010233585.tif 000002
【特許請求の範囲】
【請求項１】
上弦部ａ１、縦部ａ２、下弦部ａ３からなる略コ形状に曲折した支持ユニットＡと、支持ユニットＡの上弦部ａ１と下弦部ａ３を縦部ａ２に対して、反対方向に構成した上弦部ｂ１、縦部ｂ２、下弦部ｂ３からなる略コ形状の支持ユニットＢからなり、支持ユニットＡの上弦部ａ１と支持ユニットＢの上弦部ｂ１を一直線上に連結して、縦部ａ２と縦部ｂ２が鋭角をなすように固定し、一体化して形成し、歩行者は、前記連結した上弦部ａ１と上弦部ｂ１からなる把持部Ｃを握持し、下弦部ａ３と下弦部ｂ３を接地させて使用することを特徴とする歩行補助具。
【請求項２】
前記、２つの支持ユニットの接地している下弦部ａ３と下弦部ｂ３の、長さを違えて形成してなることを特徴とする請求項１の歩行補助具。
【発明の詳細な説明】
【技術分野】
【０００１】
本発明は、自立して歩行することが困難なお年寄りや歩行障害者が、安全に使用できる歩行補助具に関するものである。
【背景技術】
【０００２】
歩行が困難な人が、自立して安全に歩行する場合、支柱を一本とした一本脚杖や、両手両肘で支持して全体重をあずけて移動する歩行器等を、歩行補助具として使用するのが一般的である。
【０００３】
しかしながら一本脚杖は、安定性よりは使い易さに重視をしており、腕の力の弱い人や、自立性の低下した人が使用するのには適さない。又、歩行器においては安定性を高めるために、大型に形成され重量のあるものが多い。従って小回りがきかないので、病院や施設のような、極めて整備された洋式環境の中での歩行訓練用としてしか使えないため、一般家屋内での使用には適切でない。
【０００４】
そこで、Ｕ字型をした石突部の上方に、平行な一対の脚部の上端部に握持部を形成して、杖のように片手歩行や、歩行器のように両手歩行が可能な、歩行補助具が提案されている。（例えば特許文献１）
【０００５】
しかしながら、前記の歩行補助具においては、小型、軽量で小回りがきくように形成されているが、構成する要素が多くコスト高になる。又、片手歩行で前進する場合、Ｕ字型の石突部が横向きになるので、補助具が前方に傾きやすく倒れる危険性が考えられる。そして両手で歩行するときには、握持部が体の真正面に位置しないので、安定した歩行に難点が見受けられる。
【先行技術文献】
【特許文献】
【０００６】
【特許文献１】特開２００２−６５７７１号公報
【発明の概要】
【発明が解決しようとする課題】
【０００７】
本発明は、以上のような従来の歩行補助具の欠点を解決するために、小型、軽量で小回りがきいて、場所と使用者の障害の度合いによって、杖のように片手で歩行ができ、又、歩行器のように両手で歩行が可能な安定性の高い、歩行補助具を提供することを目的としている。
【課題を解決するための手段】
【０００８】
上記目的を達成するために、本発明は、上弦部、縦部、下弦部からなる略コ形状に曲折した支持ユニットＡと、支持ユニット１の上弦部と下弦部を縦部に対して反対方向に構成した略コ形状の支持ユニットＢからなり、２つの支持ユニットの上弦部を一直線上に連結して、２つの縦部が鋭角をなすように固定し、一体化して形成し、歩行者は、前記連結した上弦部からなる把持部を握持し、２つの下弦部を接地させて使用する。
【０００９】
そして、前記の２つの支持ユニットの接地している下弦部の、長さを違えて形成してなるものである。
【発明の効果】
【００１０】
以上の説明から明らかなように、本発明にあっては次に列挙する効果が得られる。
(１) 略コ形状に曲折した２つの支持ユニットの上弦部どうしを一直線上に連結して、一体化したシンプルな構成でなるため、小型、軽量に形成することが出来るので、安価で、しかも小回りがきく歩行が可能となる。
【００１１】
(２) ２つの支持ユニットの接地している下弦部により、接地面での支持面積を広く確保できるので、安定性が高く、又補助具本体が自立するので、起立時の支え具としても利用出来る。
【００１２】
(３) 片手で握持して前進歩行する場合、接地している長寸法の下弦部の先端部を前方に向けて歩行するので、前方に傾き難く、安定感がある。  
【００１３】
(４) 両手で把握持して前進歩行する場合、接地している短寸法に形成された下弦部の脇に、空いたスぺースを確保出来るので、そのスペースに踏込み足を入れて、把持部を体の真正面で支えて、安定した姿勢で歩行が出来る。
【図面の簡単な説明】
【００１４】
【図１】本発明の歩行補助具の一実施形態の外観図。
【図２】本発明の歩行補助具の支持ユニットの上弦部の連結形態を示す図。
【図３】本発明の歩行補助具の使用形態を示す図。
【図４】本発明の歩行補助具の支持ユニットの縦部を曲折して形成した実施形態図。
【発明を実施するための形態】
【００１５】
以下、本発明の実施の形態を図に基づいて説明する。
【００１６】
図１は、本発明の歩行補助具の一実施形態の外観図である。図１（イ）の左手使用の歩行補助具は、上弦部ａ１、縦部ａ２、下弦部ａ３からなる略コ形状に曲折したアルミニウム等の軽量金属パイプで形成した支持ユニットＡと、支持ユニットＡの上弦部ａ１と下弦部ａ３を縦部ａ２に対して反対方向に構成した上弦部ｂ１、縦部ｂ２、下弦部ｂ３からなる略コ形状の支持ユニットＢからなり、支持ユニットＡの上弦部ａ１と支持ユニットＢの上弦部ｂ１を一直線上に連結して、縦部ａ２と縦部ｂ２が鋭角をなすように固定し、一体化して形成し、歩行者は、前記連結した上弦部ａ１と上弦部ｂ１からなる把持部Ｃを握持して、下弦部ａ３と下弦部ｂ３を接地させて使用する。又、左手使用を反転した形態で形成することにより、右手使用を形成することが出来る。
【００１７】
前記、２つの支持ユニットＡ、Ｂの上弦部ａ１、ｂ１を連結してなる把持部Ｃの外周には、握持し易いようにゴム、スポンジ、樹脂等のカバーｃを取り付け、そして接地している下弦部ａ３、ｂ３の先端部と曲折部の外周には、ゴム等の緩衝材ｄを取り付けて形成している。
【００１８】
本発明の歩行補助具は、図２（イ）、（ロ）に示すように、把持部Ｃを形成している上弦部ａ１、ｂ１の一方を挿入して連結し、ビスｆ等で固定して形成している。連結する方法としては、溶接、接着、ネジ止め等一般的な方法で固定し、形成しても支障ない。
【００１９】
本発明は、２つの支持ユニットＡ、Ｂの上弦部ａ１、ｂ１を一直線上に連結して形成する例を示したが、一本のパイプを曲折して形成することも可能である。
【００２０】
図３ (イ) のように、把持部Ｃを片手で握持して歩行者の一側で保持しながら杖のように使用したり、又図３ (ロ)のように、把持部Ｃを両手で握持して歩行者の真正面で保持して使用して、接地している短寸法の下弦部ｂ３の脇の空いたスペースｅに、踏込み足を入れて歩行することが出来る。そして、補助具本体が自立しているので、着座した時に起立する支え具としても利用可能である。
【００２１】
本発明の支持ユニットのパイプを、アルミニウム等の軽量金属パイプで形成する例を示したが、木材、竹、ハイテク金属（チタン、カーボン等）で形成することも出来る。
【００２２】
本発明の支持ユニットのパイプに、布、皮、籐等を巻いたり、塗装を施して装飾的なイメージを演出することも出来る。
【００２３】
本発明の支持ユニットＡの縦部ａ２を、デザイン性を強調するために、図４に示すように、曲折した形状で構成することも可能である。
【００２４】
本発明の支持ユニットＡ、Ｂの縦部ａ２、ｂ２と、接地している下弦部ａ３、ｂ３を曲折して形成した例を示したが、鋭角に形成することも可能である。
【産業上の利用可能性】
【００２５】
本発明は、杖や歩行器等の歩行補助具を製造する産業に利用出来る。
【符号の説明】
【００２６】
Ａ    支持ユニット
Ｂ    支持ユニット
Ｃ    把持部
ａ１  支持ユニットＡの上弦部
ａ２  支持ユニットＡの縦部
ａ３  支持ユニットＡの下弦部
ｂ１  支持ユニットＢの上弦部
ｂ２  支持ユニットＢの縦部
ｂ３  支持ユニットＢの下弦部
ｃ    カバー
ｄ    緩衝材
ｅ    踏み込み足スペース
ｆ    ビス
【図１】
2010233585.tif 000003
【図２】
2010233585.tif 000004
【図３】
2010233585.tif 000005
【図４】
2010233585.tif 000006
【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
上弦部a１、縦部a２、下弦部a３からなる略コ形状に曲折した支持ユニットＡと、支持ユニットＡの上弦部a１と下弦部a３を縦部ａ２に対して、反対方向に構成した上弦部
ｂ１、縦部ｂ２、及び支持ユニットＡの下弦部ａ３とは長さを違えて形成された下弦部ｂ３からなる略コ形状の支持ユニットＢからなり、支持ユニットＡの上弦部ａ１と支持ユニ
ットＢの上弦部ｂ１を一直線上に連結して、縦部ａ２と縦部ｂ２が鋭角をなすように、下弦部ａ３と下弦部ｂ３を適切な間隔をとって地面に平行に形成し、歩行者は、前記連結した上弦部ａ１と上弦部ｂ１からなる把持部Ｃを握持し、下弦部ａ３と下弦部ｂ３を接地させて使用することを特徴とする歩行補助具。
【手続補正２】
【補正対象書類名】明細書
【補正対象項目名】０００８
【補正方法】変更
【補正の内容】
【０００８】
上記目的を達成するために、本発明は、上弦部、縦部、下弦部からなる略コ形状に曲折した支持ユニットＡと、支持ユニット１の上弦部とは長さを違えて形成された下弦部を縦部に対して反対方向に構成した支持ユニットＢからなり、２つの支持ユニットの上弦部を一直線上に連結して、縦部が鋭角をなすように、下弦部を適切な間隔をとって地面に平行に形成し、歩行者は、前記連結した上弦部からなる把持部を握持し、２つの下弦部を接地させて使用する。
【手続補正３】
【補正対象書類名】明細書
【補正対象項目名】０００９
【補正方法】削除
【補正の内容】
【手続補正４】
【補正対象書類名】明細書
【補正対象項目名】００１３
【補正方法】変更
【補正の内容】
【００１３】
(４)  両手で把持部を握持して前進歩行する場合、接地している短寸法に形成された下弦部の脇に、空いたスぺースを確保出来るので、そのスぺースに踏込み足を入れて、把持部を体の真正面で支えて、安定した姿勢で歩行が出来る。      
【手続補正５】
【補正対象書類名】明細書
【補正対象項目名】００１６
【補正方法】変更
【補正の内容】
【００１６】
図１は、本発明の歩行補助具の一実施形態の外観図である。図１（イ）の左手使用の歩行補助具は、上弦部ａ１、縦部ａ２、下弦部ａ３からなる略コ形状に曲折したアルミニウム等の軽量金属パイプで形成した支持ユニットＡと、支持ユニットＡの上弦部ａ１と下弦部ａ３を縦部ａ２に対して反対方向に構成した上弦部ｂ１、縦部ｂ２及び支持ユニットＡの下弦部ａ３とは長さを違えて形成された、下弦部ｂ３からなる略コ形状の支持ユニットＢからなり、支持ユニットＡの上弦部ａ１と支持ユニットＢの上弦部ｂ１を一直線上に連結して、縦部ａ２と縦部ｂ２が鋭角をなすように、下弦部ａ３と下弦部ｂ３を適切な間隔をとって地面に平行に形成し、歩行者は、前記連結した上弦部ａ１と上弦部ｂ１からなる把持部Ｃを握持して、下弦部ａ３と下弦部ｂ３を接地させて使用する。又、左手使用を反転した形態で形成することにより、右手使用を形成することが出来る。